(57)【要約】【課題】買物情報に基づいてオブジェクトの選択難易度を変更する。【解決手段】ＰＯＳレジ装置から買い物情報を取得する。買い物情報によって携帯端末に表示されるオブジェクトの選択の難易度を変更する。オブジェクトの選択の難易度は、例えば、オブジェクトを見えづらくする秘匿処理やオブジェクトを移動させる移動処理やオブジェクトを小さくするサイズ変更処理等である。ユーザは買い物後に携帯端末に表示されたオブジェクトを選択する事によってクーポンをゲットする。【選択図】図４
2017004322.tif 000002
【特許請求の範囲】
【請求項１】
買物情報を取得する買物情報取得手段と
前記買物情報に基づいて、オブジェクトの選択難易度を変更する難易度変更手段と、
を備えることを特徴とする情報処理装置。
【請求項２】
前記難易度変更手段は、前記オブジェクトを秘匿することにより難易度を変更することを特徴とする請求項１に記載の情報処理装置。
【請求項３】
前記難易度変更処理は、前記オブジェクトを移動させることにより難易度を変更することを特徴とする請求項１または２に記載の情報処理装置。
【請求項４】
前記難易度変更処理は、前記オブジェクトのサイズを変更することにより難易度を変更することを特徴とする請求項１〜３のいずれか１項に記載の情報処理装置。
【請求項５】
前記買物情報をランク付けするランク付手段と、
を備え、
前記難易度変更手段は、前記ランクに基づいてオブジェクトの難易度を変更することを特徴とする請求項１〜４のいずれか１項に記載の情報処理装置。
【請求項６】
所定の時間内にオブジェクトを選択されたかを判定する判定手段と、
を備えることを特徴とする請求項１〜５のいずれか１項に記載の情報処理装置。
【請求項７】
前記判定手段が所定の時間内にオブジェクトを選択されたと判定した場合、景品情報を取得する景品情報取得手段と、
を備えることを特徴とする請求項６に記載の情報処理装置。
【請求項８】
買物情報を取得する買物情報取得工程と、
前記買物情報に基づいて、オブジェクトの選択難易度を変更する難易度変更工程と、
を有することを特徴とする情報処理方法。
【請求項９】
コンピュータを、
買物情報を取得する買物情報取得手段、
前記買物情報に基づいて、オブジェクトの選択難易度を変更する難易度変更手段、
として機能させることを特徴とするプログラム。
【発明の詳細な説明】
【技術分野】
【０００１】
本発明は、情報処理装置、情報処理方法及びプログラムに関する。
【背景技術】
【０００２】
従来、クーポンの内容が識別可能なオブジェクトを表示させ、その操作に基づいてクーポンを提供する技術がある。
【先行技術文献】
【特許文献】
【０００３】
【特許文献１】特開２０１４−１６０３０７号公報
【発明の概要】
【発明が解決しようとする課題】
【０００４】
しかしながら、買物情報に基づいてオブジェクトの選択難易度を変更することはできなかった。
【０００５】
本発明は、買物情報に基づいてオブジェクトの選択難易度を変更することである。
【課題を解決するための手段】
【０００６】
買物情報を取得する買物情報取得手段と
前記買物情報に基づいて、オブジェクトの選択難易度を変更する難易度変更手段と、
を備えることを特徴とする情報処理装置。
【発明の効果】
【０００７】
本発明によれば、買物情報に基づいてオブジェクトの選択難易度を変更できる。
【図面の簡単な説明】
【０００８】
【図１】は、本実施形態に係る情報処理システムの構成を示す図である。
【図２】は、本実施形態に係るＰＯＳレジ装置のブロック図である。
【図３】は、本実施形態に係る携帯端末のブロック図である。
【図４】は、本実施形態に係るオブジェクト選択難易度変更処理を説明する図である。
【図５】は、本実施形態に係るＰＯＳレジ装置のフローチャートを示す図である。
【図６】は、本実施形態に係る携帯端末のフローチャートを示す図である。
【発明を実施するための形態】
【０００９】
以下、図面に基づき本発明の実施形態について説明する。
【００１０】
図１は、本実施形態に係る情報処理システムの構成を示す図である。本実施形態にかかる情報処理システムはＰＯＳレジ装置１と無線通信を行う携帯端末２とから構成される。ＰＯＳレジ装置１と携帯端末２は、例えば、Ｂｌｕｅｔｏｏｔｈ（登録商標）  ｌｏｗ  ｅｎｅｒｇｙ（以下、ＢＬＥという。）に基づいて、互いに無線通信を行う。ＢＬＥとは、Ｂｌｕｅｔｏｏｔｈ（登録商標）と呼ばれる近距離無線通信規格において、低消費電力を目的として策定された規格（モード）である。
【００１１】
ＰＯＳレジ装置１は、図２に示すように制御部１１、表示部１２、スキャナ１３、通信部１４、記憶部１５、印字部１６を備え、記憶部１５はランク情報記憶部１５１を含むものである。
【００１２】
制御部１１は、ＣＰＵ（Ｃｅｎｔｒａｌ  Ｐｒｏｃｅｓｓｉｎｇ  Ｕｎｉｔ）等によって構成され、記憶部１５に記憶されている各種のプログラムを実行して所定の演算や各部の制御を行うＣＰＵとプログラム実行時の作業領域となるメモリとを備えている（いずれも図示略）。
【００１３】
表示部１２は、液晶ディスプレイ等から構成され、制御部１１から伝達された情報を表示する。スキャナ１３は、商品のバーコードをスキャンし制御部１１に送信する。
【００１４】
通信部１４は、図示しないアンテナを介して、ＢＬＥに基づく無線信号の送信及び受信を行い、後述するランク情報を携帯端末２に送信する。
【００１５】
記憶部１５は、ランク情報記憶部１５１を含み、ランク情報記憶部１５１は、顧客のランク情報を記憶する。ランク情報は、顧客の買物情報、例えば合計金額、に基づいて決定される。例えば、本実施形態では、ランクは例えば４段階として買物金額が高い方からランクＡ、ランクＢ、ランクＣ、ランクＤとし、ランクＡは合計金額が５０００円以上、ランクＢは合計金額が２０００円以上４９９９円以下、ランクＣは合計金額が１０００円以上１９９９円以下、ランクＤは９９９円以下とする。印字部１６は、レシートを印字する。
【００１６】
図３は、携帯端末２の構成を示すブロック図である。携帯端末２は、制御部２１、表示部２２、入力部２３、通信部２４、記憶部２５を備え、入力部はタッチパネル２３１、記憶部２５は、オブジェクト秘匿フラグ記憶部２５１、オブジェクト移動フラグ記憶部２５２、オブジェクトサイズ変更フラグ記憶部２５３を有する。
【００１７】
制御部２１は、ＣＰＵ（Ｃｅｎｔｒａｌ  Ｐｒｏｃｅｓｓｉｎｇ  Ｕｎｉｔ）等によって構成され、記憶部２５に記憶されている各種のプログラムを実行して所定の演算や各部の制御を行うＣＰＵとプログラム実行時の作業領域となるメモリとを備えている（いずれも図示略）。
【００１８】
表示部２２は、例えば、ＬＣＤ（Ｌｉｑｕｉｄ  Ｃｒｙｓｔａｌ  Ｄｉｓｐｌａｙ）、ＥＬ（Ｅｌｅｃｔｒｏｌｕｍｉｎｅｓｃｅｎｃｅ）ディスプレイ等によって構成される。
【００１９】
入力部２３は、タッチパネル２３１有し、表示部２２の上面に配置され、ユーザの操作内容を入力するために用いられるインタフェースである。タッチパネル２３１は、例えば図示しない透明電極を内蔵し、ユーザの指等が接触した場合に、電圧が変化した位置を接触位置として検出し、その接触位置の情報を入力指示として制御部２１へ出力する。本実施形態では、表示部２２に表示されたオブジェクトを選択するために使用される。
【００２０】
通信部２４は、図示しないアンテナを介して、ＢＬＥに基づく無線信号の送信及び受信を行い、ＰＯＳレジ装置１からランク情報を受信する。
【００２１】
記憶部２５は、オブジェクト秘匿フラグ記憶部２５１、オブジェクト移動フラグ記憶部２５２、オブジェクトサイズ変更フラグ記憶部２５３を有するものである。オブジェクト秘匿フラグ記憶部２５１は、後述するオブジェクト秘匿処理を行うか否かを示すフラグを記憶し、オブジェクト移動フラグ記憶部２５２は、後述するオブジェクト移動処理を行うか否かを示すフラグを記憶し、オブジェクトサイズ変更フラグ記憶部２５３は、後述するオブジェクトサイズ変更処理を行うか否かを示すフラグを記憶する。
【００２２】
図４は、本実施形態のオブジェクト選択難易度変更処理を説明する図である。図４（ａ）は、初期状態であり、オブジェクト選択難易度変更処理を行っていない状態である。ユーザは「当たり」と表示されているオブジェクトを選択することによりクーポンを取得することができる。
【００２３】
図４（ｂ）は、オブジェクト秘匿処理を示す図である。オブジェクト秘匿処理は、「当たり」と表示されているオブジェクトの一部を覆い隠すようにすることでオブジェクトの選択の難易度を変更するものである。
【００２４】
図４（ｃ）は、オブジェクト移動処理を示す図である。オブジェクト移動処理は、「当たり」が表示されているオブジェクトが例えば、図に示すように矢印方向やランダムに移動することでオブジェクトの選択難易度を変更するものである。
【００２５】
図４（ｄ）は、オブジェクトサイズ変更処理を示す図である。オブジェクトサイズ変更処理は、オブジェクトのサイズを変更することでオブジェクトの選択の難易度を変更するものである。
【００２６】
図５は本実施形態に係るＰＯＳレジ装置１に係るフローチャートを示す図である。まず、ＰＯＳレジ装置１はスキャナ１３で商品のバーコードを読み取り、合計金額を算出し、印字部１６を用い、レシートに印字する（ステップＳ１０１）。
【００２７】
ステップ１０１の会計処理から合計金額を取得し、顧客のランクを決定し、ランク情報記憶部１５１に記憶する（ステップＳ１０２）。例えば、合計金額が、３３１４円の場合、顧客はランクＢに決定される。本実施形態では、顧客のランクは、会計の合計金額によって決定したが、これに限らない。
【００２８】
顧客のランクが決定した後、ランク情報記憶部１５１に記憶されているランク情報を買物情報として携帯端末２に送信する（ステップＳ１０３）。
【００２９】
図６は、本実施形態に係る携帯端末２に係るフローチャートを示す図である。まず、携帯端末２は、ＰＯＳレジ装置１から買物情報としてランク情報を受信したかを判定する（ステップＳ２０１）。ランク情報を受信していないと判定した場合は（ステップＳ２０１Ｎｏ）、受信したと判定するまでステップＳ２０１を繰り返す。
【００３０】
ＰＯＳレジ装置１からランク情報を受信した場合（ステップＳ２０２）、受信したランク情報がランクＣより低いか否かを判定する。受信したランク情報が例えば、ランクＤであった場合、ランクＣより低いと判定され（ステップＳ２０２Ｙｅｓ）、オブジェクト秘匿フラグ記憶部２５１に「１」を記憶し（ステップＳ２０３）、ステップＳ２０４へ進む。
【００３１】
受信したランク情報がランクＣより高いと判定された場合は（ステップＳ２０２Ｎｏ）、受信したランク情報がランクＢより低いかを判定する（ステップＳ２０４）。ステップＳ２０４でランクＢより低いと判定された場合は（ステップＳ２０４Ｙｅｓ）、オブジェクト移動フラグ記憶部２５２に「１」を記憶し（ステップＳ２０５）、ステップＳ２０６へ進む。
【００３２】
受信したランク情報がランクＢより高いと判定された場合は、受信したランク情報がランクＡより低いかを判定する（ステップＳ２０６）。受信したランク情報がランクＡより低いと判定された場合（ステップＳ２０６Ｙｅｓ）、オブジェクトサイズ変更フラグ記憶部２５３に「１」を記憶すしステップＳ２０８に進む。受信したランク情報がランクＡであった場合（ステップＳ２０６Ｎｏ）、ステップＳ２０８へ進む。
【００３３】
ステップＳ２０８では、オブジェクト秘匿フラグ記憶部２５１、オブジェクト移動フラグ記憶部２５２、オブジェクトサイズ変更フラグ記憶部２５３に「１」を参照し、オブジェクト選択難易度変更処理を行う（ステップＳ２０８）。例えば、受信したランク情報がランクＣであった場合は、オブジェクト秘匿フラグ記憶部２５１とオブジェクト移動フラグ移動フラグ記憶部２５２に「１」が記憶されているため、オブジェクト秘匿処理とオブジェクト移動処理が行われる（ステップＳ２０８）。
【００３４】
オブジェクト選択難易度変更処理が行われた後、オブジェクトを表示部２２に表示する（ステップＳ２０９）。ユーザは表示されたオブジェクトをタッチパネル２３１で指定することによってクーポンを取得することが可能となる。
【００３５】
オブジェクトの表示位置とタッチパネルによって指定された位置に基づいて、オブジェクトが選択されたかを判定する（ステップＳ２１０）。オブジェクトが選択されていないと判定された場合（ステップＳ２１０Ｎｏ）、オブジェクトを表示して一定時間が経過しタイムアウトしたかを判定し（ステップＳ２１１）、タイムアウトした場合（ステップＳ２１１Ｙｅｓ）終了し、タイムアウトしていないと判定された場合（ステップＳ２１１Ｎｏ）、ステップＳ２０９へ進む。
【００３６】
オブジェクトが選択されたと判定した場合（ステップＳ２１０Ｙｅｓ）、通信部２４を用いクーポン情報を取得し、取得したクーポン情報を表示する（ステップＳ２１２）。
【００３７】
なお、本実施形態では、買物情報として顧客のランク情報を用いたがこれに限らない。また、オブジェクト選択難易度変更処理はオブジェクト秘匿処理、オブジェクト移動処理、オブジェクトサイズ変更処理としたが、オブジェクトの選択の難易度を変更する処理はこれに限らない。
【００３８】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００３９】
〈請求項１〉
買物情報を取得する買物情報取得手段と
前記買物情報に基づいて、オブジェクトの選択難易度を変更する難易度変更手段と、
を備えることを特徴とする情報処理装置。
〈請求項２〉
前記難易度変更手段は、前記オブジェクトを秘匿することにより難易度を変更することを特徴とする請求項１に記載の情報処理装置。
〈請求項３〉
前記難易度変更処理は、前記オブジェクトを移動させることにより難易度を変更することを特徴とする請求項１または２に記載の情報処理装置。
〈請求項４〉
前記難易度変更処理は、前記オブジェクトのサイズを変更することにより難易度を変更することを特徴とする請求項１〜３のいずれか１項に記載の情報処理装置。
〈請求項５〉
前記買物情報をランク付けするランク付手段と、
を備え、
前記難易度変更手段は、前記ランクに基づいてオブジェクトの難易度を変更することを特徴とする請求項１〜４のいずれか１項に記載の情報処理装置。
〈請求項６〉
所定の時間内にオブジェクトを選択されたかを判定する判定手段と、
を備えることを特徴とする請求項１〜５のいずれか１項に記載の情報処理装置。
〈請求項７〉
前記判定手段が所定の時間内にオブジェクトを選択されたと判定した場合、景品情報を取得する景品情報取得手段と、
を備えることを特徴とする請求項６に記載の情報処理装置。
〈請求項８〉
買物情報を取得する買物情報取得工程と、
前記買物情報に基づいて、オブジェクトの選択難易度を変更する難易度変更工程と、
を有することを特徴とする情報処理方法。
〈請求項９〉
コンピュータを、
買物情報を取得する買物情報取得手段、
前記買物情報に基づいて、オブジェクトの選択難易度を変更する難易度変更手段、
として機能させることを特徴とするプログラム。
【符号の説明】
【００４０】
１  ＰＯＳレジ装置
２  携帯端末
１１  制御部
１２  表示部
１３  スキャナ
１４  通信部
１５  記憶部
１５１  ランク情報記憶部
１６  印字部
２１  制御部
２２  表示部
２３  入力部
２３１  タッチパネル
２４  通信部
２５  記憶部
２５１  オブジェクト秘匿フラグ記憶部
２５２  オブジェクト移動フラグ記憶部
２５３  オブジェクトサイズ変更フラグ記憶部
【図１】
2017004322.tif 000003
【図２】
2017004322.tif 000004
【図３】
2017004322.tif 000005
【図４】
2017004322.tif 000006
【図５】
2017004322.tif 000007
【図６】
2017004322.tif 000008